(57)【要約】【課題】２つの長手方向縦部材と、該２つの縦部材同士を接続し間に複数の孔を形成する複数のわずかに外側に湾曲した横方向接続部と、を有する細長い弾性ストリップである結束ストリップを開示する。【解決手段】ストリップの第１端部は、少なくとも一つ物品のまわりのループを形成するよう、ストリップの反対側の第２端部において選択された孔を貫通し挟み込まれる。ストリップの第１端部および第２端部を、所望のループの大きさになるまで反対方向引っ張り、選択された孔の接続部を横方向に延ばして平坦状の接続部とし、選択された孔において挟み込まれている他の接続部を丸く湾曲しアーチ状の接続部として、平坦状の接続部と係合させる。ループを解放するには、第２端部を逆の方向に引っ張る。物品を一体に結束する方法もまた開示する。【選択図】図１
0003177642.tif 000002
【実用新案登録請求の範囲】
【請求項１】
結束ストリップであって、
２つの長手方向縦部材と、
該２つの縦部材同士を接続し、間に複数の孔を形成する複数の横方向接続部であって、２つの縦部材が面内に位置しているストリップ面の一方の側からわずかに外側へ湾曲している接続部と、を備えた細長い弾性ストリップであり、
ストリップの第１の端部は、わずかに湾曲した接続部が外側に面する状態で結束される少なくとも一つ物品のまわりにループを形成するようストリップの反対側の第２端部において選択された孔を貫通し、挟み込まれるように構成されており、
ストリップの第１端部および第２端部が、所望のループの大きさになるまで対向方向であるループ締めつけ方向に引っ張られると、ストリップの第２端部における選択された孔の接続部の一つが横方向に延びて平坦状の接続部となり、選択された孔において挟み込まれている接続部の他の一つが外側に向かって丸く湾曲しアーチ状の接続部となり、該平坦状の接続部と係合し、
ストリップの第２端部が反転されて逆のループ緩和方向に引っ張られると、前記平坦状の接続部は前記アーチ状の接続部を押し下げ、これにより、選択された孔から第１端部が抜けてループが緩む結束ストリップ。
【請求項２】
請求項１に記載の結束ストリップであって、わずかに外側に湾曲した接続部のそれぞれは概ね「へ」字状である結束ストリップ。
【請求項３】
請求項１に記載の結束ストリップであって、前記平坦状接続部は、概ね前記ストリップ面内にある結束ストリップ。
【請求項４】
請求項１に記載の結束ストリップであって、前記アーチ状接続部は、概ね半円状である結束ストリップ。
【請求項５】
請求項１に記載の結束ストリップであって、前記細長い弾性ストリップは弾性材料で形成されている結束ストリップ。
【請求項６】
請求項１に記載の結束ストリップであって、前記細長い弾性ストリップはポリアミド繊維で形成されている結束ストリップ。
【請求項７】
請求項１に記載の結束ストリップであって、前記細長い弾性ストリップは、約１，０００デニールの重量のニットナイロンで形成されている結束ストリップ。
【請求項８】
請求項１に記載の結束ストリップであって、前記細長い弾性ストリップは半硬質ポリマー材料で形成されている結束ストリップ。
【請求項９】
請求項１に記載の結束ストリップであって、前記細長い弾性ストリップの厚さは約１．２５ｍｍである結束ストリップ。
【請求項１０】
請求項１に記載の結束ストリップであって、前記細長い弾性ストリップは、概ねはしご状であり、前記長手方向縦部材は平行な線状であり、前記横方向接続部は均等に間隔をあけて配置されている結束ストリップ。
【請求項１１】
請求項１に記載の結束ストリップであって、それぞれの孔は概ね長方形である結束ストリップ。
【請求項１２】
請求項１に記載の結束ストリップであって、前記第１端部はテーパ状端部であり、該テーパ状端部は、互いに向かって先細りになり針状先端部で合流する前記２つの縦部材の端部によって形成されるテーパ部を備える結束ストリップ。
【考案の詳細な説明】
【技術分野】
【０００１】
本願は、多目的結束ストリップに関する。
【背景技術】
【０００２】
結束ストリップは、ケーブルや植物などの物品を一体に結束するために用いられる。従来の結束ストリップは、通常、プラスチック材料の長いストリップの態様であり、そのストリップの一端に孔のあるヘッド部とそのストリップの他端にテール部とを有している。物品を一体に留めるよう閉ループを形成し、テール部をヘッドの孔に挿入できる。物品を一体に留めるようストリップが用いられると、残りのテール部は切除・廃棄され、再利用することはできない。これにより無駄な廃棄物ができてしまう。
【考案の概要】
【考案が解決しようとする課題】
【０００３】
ケーブルを束状に結束するための従来のケーブルタイは非常に硬く、結束された物品が拡がったり変形したりする余地がない。従来のケーブルタイは、一度だけしか使用できず、結束された物品を解放するには切断する必要がある。
【０００４】
設計とその機能性のために、従来のナイロンタイを除くすべての既存の結束ストリップは厚さ６ｍｍより細くできない。その上に、切断部を再使用することができないので、従来のナイロンタイは無駄な廃棄物ができてしまう。
【０００５】
さらに、既存の結束ストリップには、閉ループが形成され、その余分な部分が切除されると、結束された物品を迅速かつ容易に解放する方法がない。余分な部分がまだそのまま残っている場合のみ、既存の結束ストリップは閉ループを解放できる。
【０００６】
したがって、柔軟で結束された物品の形状に適応でき、結束された物品を迅速かつ容易に解放でき、切断部の再利用を可能にし、製造コストを低減できる改良結束ストリップを提供するニーズがある。
【課題を解決するための手段】
【０００７】
一の面では、２つの長手方向縦部材と、該２つの縦部材同士を接続し間に複数の孔を形成する複数の横方向接続部と、を有する細長い弾性ストリップである結束ストラップを提供する。
【０００８】
接続部は、２つの縦部材が面内に位置しているストリップ面の一方の側からわずかに外側へ湾曲しており、ストリップの第１端部は、わずかに湾曲した接続部が外側に面する状態で結束される少なくとも一つ物品のまわりにループを形成するようストリップの反対側の第２端部における選択された孔を貫通し、挟み込まれるように構成できる。
【０００９】
ストリップの第１端部および第２端部が、所望のループの大きさになるまで対向方向であるループ締めつけ方向に引っ張られると、ストリップの第２端部における選択された孔の接続部の一つが横方向に延びて平坦状の接続部となり、選択された孔において挟み込まれている接続部の他の一つが外側に向かって丸く湾曲しアーチ状の接続部となり、該平坦状の接続部と係合する。ストリップの第２端部が反転されて逆のループ緩和方向に引っ張られると、平坦状の接続部はアーチ状の接続部を押し下げ、これにより、選択された孔から第１端部が抜けてループが緩む。
【００１０】
一の態様では、わずかに外側に湾曲した接続部のそれぞれは概ね「ヘ」字状（角のある鉤括弧状“＜”）とできる。平坦状の接続部は概ねストリップ面内に位置させることができ、また、アーチ状接続部は概ね半円状とできる。
【００１１】
細長い弾性ストリップは弾性材料で形成できる。細長い弾性ストリップはポリアミド繊維で形成できる。細長い弾性ストリップは、約１，０００デニールの重量のニットナイロンで形成できる。細長い弾性ストリップはまた半硬質ポリマー材料で形成できる。細長い弾性ストリップの厚さは約１．２５ｍｍとできる。
【００１２】
一の態様では、細長い弾性ストリップは概ねはしご状とできる。長手方向縦部材は平行な線状とでき、横方向接続部は均等に間隔をあけて配置できる。それぞれの孔は概ね長方形とできる。第１端部はテーパ状端部とできる。テーパ状端部は、互いに向かって先細りになり針状先端部で合流する２つの縦部材の端部によって形成されるテーパ部を備える。
【００１３】
他の面では、少なくとも一つの物品を結束する方法を提供する。（ａ）２つの長手方向縦部材と、該２つの縦部材同士を接続し、間に複数の孔を形成する複数の横方向接続部であって、２つの縦部材が面内に位置しているストリップ面の一方の側からわずかに外側へ湾曲している接続部と、有する細長い弾性ストリップを配置する。（ｂ）ストリップの第１の端部を、わずかに湾曲した接続部が外側に面する状態で結束される少なくとも一つ物品のまわりにループを形成するようストリップの反対側の第２端部において選択された孔を貫通し、挟み込む。（ｃ）ストリップの第１端部および第２端部が所望のループの大きさになるまで対向方向であるループ締めつけ方向に引っ張り、選択された孔の接続部の一つを横方向に延ばして平坦状の接続部とし、選択された孔において挟み込まれている接続部の他の一つを外側に向かって丸く湾曲しアーチ状の接続部として、該平坦状の接続部と係合させる。（ｄ）選択された孔を貫通した結束ストリップの一部を切除し、廃棄する材料を生じさせることなくさらに少なくとも一つの物品を結束することが可能な短くされた結束ストリップを形成する。
【００１４】
方法では、さらに、ストリップの第２端部が反転し逆のループ緩和方向に引っ張り、これにより、平坦状の接続部はアーチ状の接続部を押し下げ、これにより、選択された孔から第１端部が抜けてループが緩めることができる。
【００１５】
方法では、さらに、短くされた結束ストリップを用いて、（ｂ）〜（ｄ）のステップを繰り返して、少なくとも一つの物品をさらに拘束することができる。
【００１６】
いくつかの実施形態を参照して本願において開示する結束ストリップを示し説明するが、当業者は本明細書を読んで理解することによって均等物および変形物を当然思いつくであろう。本願は、そのような均等物や変形物をすべて含むものであって、実用新案請求の範囲によってのみ規定される。
【００１７】
本願に開示する結束ストリップの具体的な実施形態を添付の図面を参照して例示的に説明する。
【図面の簡単な説明】
【００１８】
【図１】本願において開示する実施形態にかかる結束ストリップの平面図である。
【図２】（ａ）は、通常の状態における図１の結束ストリップの一部の平面図であり、（ｂ）は、延びた状態における図１の結束ストリップの一部の平面図であり、（ｃ）は、挟み込まれた状態における図１の結束ストリップの一部の平面図であり、（ｄ）は、結束状態における図１の結束ストリップの一部の平面図である。
【図３】（ａ）は、通常の状態における図２（ａ）の結束ストリップの断面図であり、（ｂ）は、延びた状態における図２（ｂ）の結束ストリップの断面図であり、（ｃ）は、挟み込まれた状態における図２（ｃ）の結束ストリップの断面図である。
【図４】（ａ）は、結束状態における結束ストリップの斜視図であり、（ｂ）は、物品のまわりで対向方向であるループ締めつけ方向に引っ張られる互いに対して反対側にある第１端部と第２端部と、を有する結束ストリップの端面図である。
【図５】（ａ）は、物品のまわりで逆のループ緩和方向に引っ張られる互いに対して反対側にある第１端部と第２端部と、を有する結束ストリップの端面図であり、（ｂ）は、互いに対して反対側にある第１端部および第２端部の接続部と孔とを示す、（ａ）の結束ストリップの断面図である。
【図６】（ａ）は、結束ストリップの切断を示す例示的な図であり、（ｂ）は、数回の結束作業後に結束ストリップ切断し短くする行程を示す。
【考案を実施するための形態】
【００１９】
次に、本願において開示する結束ストリップの好ましい実施形態を詳細に説明する。また、以下の説明に、その実施例を示す。本願において開示する結束ストリップの例示的な実施形態を詳細に説明するが、結束ストリップの理解に特に重要でない特徴は簡略化のために示していないことは当業者には明らかであろう。
【００２０】
また、本願において開示する結束ストリップは、後述する詳細な実施形態に限定されず、添付の実用新案の範囲の精神あるいは範囲を逸脱することなく種々の変形および変更を当業者によってなしうることは、理解されよう。例えば、種々の例示的な実施形態のエレメントおよび／または特徴を、本開示および添付の実用新案請求の範囲内で、互いに組み合わせること、および／または互いと置き換えることもできる。
【００２１】
図１は、本願において開示する実施形態にかかる結束ストリップ１０の平面図である。結束ストリップ１０は、物品を拘束する、あるいはケーブルや植物などの複数の物品を一体に留めるための、それ自体でしっかり留めることができる一体的な多目的の結束ストリップである。
【００２２】
結束ストリップ１０は、１組の長手外側部すなわち縦部材１２と、縦部材１２を接続し、間に複数のセルすなわち孔１５を形成する複数の間隔をあけて配置された横方向接続部１３と、有する細長い弾性ストリップの態様とできる。接続部１３は、２つの縦部材１２が面内に位置している結束ストリップ１０の面の一方の側からわずかに外側へ湾曲できる。結束ストリップ１０は弾性材料で形成できる。例えば、結束ストリップ１０はニットファブリック（Ｋｎｉｔｔｅｄ  ｆａｂｒｉｃ）から形成できる。ニットファブリックはニットナイロン（ｋｎｉｔｔｅｄ  ｎｙｌｏｎ）などのポリアミド繊維（ｐｏｌｙａｍｉｄｅ  ｆｉｂｅｒ）とできる。ニットナイロンの重量は、約１，０００デニールとでき、また厚さは約１．２５ｍｍとできる。長手方向に延びた状態では、外側部すなわち縦部材１２が延び、幅を縮めることができる。結束ストリップ１０はまた半硬質ポリマー材料または他の適当な材料で形成できる。
【００２３】
例示の実施形態では、細長いストリップ１０は、１組の平行な線状の長手方向縦部材１２と、複数の均等に間隔をあけて配置された横方向接続部と、を有する略はしご状である。複数の孔１５は、形状が概ね長方形であり、均等に間隔をあけて配置される。
【００２４】
結束ストリップ１０は、第１端部１１と、その反対側にある第２端部１４と、を有する。例示の実施形態では、前記第１端部１１はテーパ状端部であり、そのテーパ状端部は、互いに向かって先細りになり針状先端部で合流する１組の縦部材１２によって形成されるテーパ部を有する。
【００２５】
図２（ａ）〜図２（ｄ）、は異なる状態における結束ストリップ１０を示す。図２（ａ）は、通常の状態における結束ストリップ１０の一部を示す。通常の状態において、それぞれの接続部１３は、結束ストリップ１０の面の一方の側からわずかに外側へ湾曲している。例示の実施形態では、図３（ａ）に示すように、わずかに外側に湾曲した接続部１３は、概ね「ヘ」字状である。図２（ｂ）は、矢印で示すように横方向に延びた状態における、結束ストリップ１０の一部を示す。延びた状態では、図３（ｂ）に示すように、わずかに外側に湾曲した接続部１３は延びて略平坦状である接続部１３１となり、結束ストリップ１０の面内に概ねにある。図２（ｃ）は、矢印で示すように、挟み込まれた状態における結束ストリップ１０の一部を示す。挟み込まれた状態では、図３（ｃ）に示すように、わずかに外側に湾曲した接続部１３は外側に丸く湾曲し、概ねアーチ状の接続部１３２となる。図２（ｄ）は、丸く湾曲しアーチ状の接続部における結束ストリップ１０の一部を示す。
【００２６】
結束ストリップ１０を締めつけるには、ループを形成するよう、結束ストリップ１０の第１端部１１を結束ストリップ１０の反対側の第２端部１４における孔１５のうちの選択された１つの孔１５１を貫通させて挟み込む。ループは、一つの物品１８、または一体に結束される複数の物品のまわりに形成できる。
【００２７】
所望のループの大きさになるまで、結束ストリップ１０の第１端部１１と第２端部１４とを、図４（ｂ）の２つの矢印によって示すように対向方向であるループ締めつけ方向に引っ張ることができる。この位置では、図４（ａ）からよくわかるように、選択された孔１５１における接続部１３のうちの一つが平坦状の接続部１３１となり、同時に、選択された孔１５１内で挟み込まれた接続部１３の他の一つは結束ストリップ１０の面から外側に丸く湾曲しアーチ状の接続部１３２となり、平坦状の接続部１３１と係合する。
【００２８】
結束ストリップ１０を解放するには、図５（ａ）の矢印によって示すように、結束ストリップ１０の第２端部１４を逆のループ緩和方向に引っ張ることができる。
【００２９】
第２端部１４が引っ張られると、図５（ａ）の矢印によって示すように、平坦状の接続部１３１はアーチ状の接続部１３２を押し下げることができる。これにより、第１端部１１を選択された孔１５１から抜くことができ、ループを緩めることができる。平坦状の接続部１３１は、結束ストリップ１０を迅速かつスムーズに解放する案内（ｒｕｄｄｅｒ）として機能できる。従って、留められた物品を解放する結束ストリップ１０を切断する必要はない。
【００３０】
２つの線状の長手方向縦部材１２と、均等に間隔をあけて配置された孔１５と、を有する略はしご状である結束ストリップ１０を図示し説明した。２つの長手方向縦部材１２が必ずしも直線状である必要はなく、また複数の孔１５が均等に間隔をあけて配置される必要はないことは当業者には理解されよう。さらに、複数の孔１５を、円形あるいは楕円形など他の適した形状とすることもできる。
【００３１】
概ね「ヘ」字状であるわずかに外側に湾曲した接続部１３を図示し説明したが、わずかに外側に湾曲した接続部１３を丸括弧など他の適した形状とすることもできる。
【００３２】
本願において開示する結束ストリップ１０は、物品１８を留めるまたはいくつかの物品１８を束状に結束するために用いることができる、多目的結束ストリップである。本願の結束ストリップ１０は様々な分野および産業において用いることができる。
【００３３】
例えば、本願の結束ストリップ１０を、電気通信産業における構造的ケーブル接続（ｓｔｒｕｃｔｕｒｅｄ  ｃａｂｌｉｎｇ）においてＬＡＮケーブルを留めるよう用いることができる。弾性材料で結束ストリップ１０を形成することができるので、結束ストリップ１０は柔軟であり、結束された物品の形状に容易に適応することができる。本願の結束ストリップ１０のこの柔軟性と適応力はＬＡＮケーブルには重要である。ＬＡＮケーブルは挟みつぶされるとバンド幅を損なうおそれがあるからである。ＬＡＮケーブルが拡がる余地のない硬質な閉ループ内にきつく留められすぎた場合、バンド幅の損失が生じる可能性がある。
【００３４】
本願において開示する結束ストリップ１０はまた、園芸において用いることができる。小さな植物を一纏めに結束し、整然と成長するようその植物をガイドすることができる。本願の結束ストリップ１０によって留められる場合、成熟していく植物に、他の従来の植物結束ストリップよりも成長のためにより大きな空間を与えることができる。なぜなら、本願において開示する結束ストリップ１０は、より柔軟で、汎用で、弾性であり、植物が成長するにつれて植物の形状に適応することができるからである。
【００３５】
結束ストリップ１０は、複数の結束を提供し、必要な大きさに引っ張られ、植物の成長とともに拡がることができる。結束ストリップ１０は、植物栽培に適している。結束ストリップ１０は、長期専門的植物生育ソリューション（ｌｏｎｇ  ｔｅｒｍ  ｐｒｏｆｅｓｓｉｏｎａｌ  ｐｌａｎｔ  ｇｒｏｗｉｎｇ  ｓｏｌｕｔｉｏｎ）を提供できる。
【００３６】
図６（ａ）は、結束ストリップ１０の切断を示す例示的な図である。図６（ｂ）は、数回の結束作業後に結束ストリップ１０を切断し短くする行程を示す。第１の結束後に、結束ストリップ１０を切断し、短くなった結束ストリップ２０が得られる。短くなった結束ストリップ２０をさらに少なくとも一つの物品を結束するために用いることができ、切断してさらに短くなった結束ストリップ３０が得られる。このさらに短くなった結束ストリップ３０をさらに少なくとも一つの物品を結束するために用いることができる。必要な長さの結束ストリップ１０だけがそれぞれの結束時に使用される。結束ストリップ１０は大きさに合わせて切断できる。残りはすべて、後の使用するために保存できる。それぞれの結束ストリップ１０の長さは、物品を２〜４周結束できるのに十分な長さとできる。
【００３７】
最後に、本願の結束ストリップ１０は、構造的ケーブル接続に現在用いられているベルクロ（Ｖｅｌｃｒｏ（登録商標））（フック＆ループ（ｈｏｏｋ  ＆  ｌｏｏｐ））に対してコスト効率の良い代替品である。
【００３８】
本願において開示した結束ストリップをいくつかの好ましい実施形態を特に参照して示し、説明したが、添付の実用新案請求の範囲から逸脱することなく種々の変形および変更を行うことができることを述べておく。
【符号の説明】
【００３９】
１０  結束ストリップ
１１  第１端部
１２  長手方向縦部材
１３  接続部
１４  第２端部
１５  孔
１８  物品
２０  短くなった結束ストリップ
３０  さらに短くなった結束ストリップ
１３１  平坦状の接続部
１３２  アーチ状の接続部
１５１  選択された孔
【図１】
0003177642.tif 000003
【図２】
0003177642.tif 000004
【図３】
0003177642.tif 000005
【図４】
0003177642.tif 000006
【図５】
0003177642.tif 000007
【図６】
0003177642.tif 000008